(57)【要約】【課題】  内容物を充填した容器本体の口部に中栓を装着した後、中栓にオーバーキャップをセットして締め込む際に、薄肉弱化部が破断して移行栓が容器本体内に落下するおそれのない抜栓キャップを提供すること。【解決手段】  容器本体Ａの口部１に装着され、注出口を形成して内容物を案内する注出筒１１を有する中栓Ｂと、中栓Ｂに開閉可能に装着されるオーバーキャップＣとからなり、中栓Ｂは、注出筒１１の内周面に薄肉弱化部１２を介して連設され、注出口を密閉するとともに、オーバーキャップＣの開蓋時に薄肉弱化部１２が破断し、中栓Ｂ側からオーバーキャップＣ側に移行する移行栓１３と、移行栓１３の下方に設けられる受け部１８とを備えることを特徴とする。【選択図】  図１
2019189322.tif 000002
【特許請求の範囲】
【請求項１】
容器本体の口部に装着され、注出口を形成して内容物を案内する注出筒を有する中栓と、中栓に開閉可能に装着されるオーバーキャップとからなり、
中栓は、注出筒の内周面に薄肉弱化部を介して連設され、注出口を密閉するとともに、オーバーキャップの開蓋時に薄肉弱化部が破断し、中栓側からオーバーキャップ側に移行する移行栓と、移行栓の下方に設けられる受け部とを備えることを特徴とする抜栓キャップ。
【請求項２】
受け部は、少なくとも薄肉弱化部の下方に設けられることを特徴とする請求項１記載の抜栓キャップ。
【請求項３】
受け部は、注出筒の周囲から内側に向けて形成される複数の係合片を備えることを特徴とする請求項１または２に記載の抜栓キャップ。
【請求項４】
受け部は、注出筒の下端部に設けられることを特徴とする請求項１〜３のいずれかに記載の抜栓キャップ。
【請求項５】
中栓は、注出筒の下部外周にねじ周壁を備え、
オーバーキャップは、頂壁と、頂壁から垂下し、移行栓と係合する係着部とを備え、
移行栓は、オーバーキャップの係着部と係合する筒状壁を備え、
筒状壁は、内周に設けられる第１係合突部と、外周に設けられる第１歯部とを備え、
係着部は、外周に第１係合突部と係合可能な第２係合突部を備え、
オーバーキャップは、係着部の外側に配設され、内周に第２歯部が設けられる密封筒と、さらに密封筒の外側に配設されるねじ筒部とを備え、
第１歯部と第２歯部は、オーバーキャップを螺脱させるときのみ係合するラチェット機構を構成することを特徴とする請求項１〜４のいずれかに記載の抜栓キャップ。
【発明の詳細な説明】
【技術分野】
【０００１】
本発明は、中栓からオーバーキャップに移行する移行栓を備える抜栓キャップに関し、とくに、中栓にオーバーキャップをセットする際に、移行栓の脱落を防止可能な抜栓キャップに関するものである。
【背景技術】
【０００２】
従来、ドレッシングや調味料などを収容する食品容器には、開封時まで容器内を密封状態にしておくために、容器口部に装着された中栓に、弱化部により画成された除去壁部を形成した隔壁を設け、除去壁部に設けられたプルリングを引き上げて除去壁部を引きちぎって注出口を開栓する抜栓キャップが広く用いられている。
【０００３】
しかしながら、プルリングを引き上げて弱化部を破断するには比較的大きな力が必要であり、指先の力が弱い子供やお年寄りには開封が困難なことがあるため、プルリングによる開栓ではなく、オーバーキャップの螺合部の回転動作によって開栓することができる抜栓キャップが従来から知られている（例えば、特許文献１参照）。
【先行技術文献】
【特許文献】
【０００４】
【特許文献１】特開２０１５−１６３５２５号公報
【発明の概要】
【発明が解決しようとする課題】
【０００５】
上記特許文献１記載の抜栓キャップは、中栓の注出筒内周面に薄肉弱化部を介して連結された栓体と、キャップの切断筒部との間に、キャップを螺脱させるときのみ係合するラチェット機構を構成する第１歯部と第２歯部が配設されているから、プルリングを用いずに開栓することができるとともに、難しい操作をすることなく、通常の開蓋操作と同様にキャップをねじの解放方向に回動するだけで簡単に開栓することができる。
しかしながら、上記特許文献１記載の抜栓キャップは、内容物を充填した容器本体の口部に中栓を装着した後、中栓にオーバーキャップをセットして締め込む際に、栓体の薄肉弱化部が破断したり、薄肉弱化部が破断して移行栓が容器本体内に落下するおそれがあり、移行栓が容器本体内に落下した場合に確認することが困難であった。
【０００６】
本発明は、上記問題を解決することを課題とし、プルリングを用いずにオーバーキャップを回動するだけで開栓することができる抜栓キャップにおいて、内容物を充填した容器本体の口部に中栓を装着した後、中栓にオーバーキャップをセットして締め込む際に、薄肉弱化部が破断して移行栓が容器本体内に落下するおそれのない抜栓キャップを提供することを目的とする。
【課題を解決するための手段】
【０００７】
本発明は、上記の課題を解決するため、抜栓キャップとして、容器本体の口部に装着され、注出口を形成して内容物を案内する注出筒を有する中栓と、中栓に開閉可能に装着されるオーバーキャップとからなり、中栓は、注出筒の内周面に薄肉弱化部を介して連設され、注出口を密閉するとともに、オーバーキャップの開蓋時に薄肉弱化部が破断し、中栓側からオーバーキャップ側に移行する移行栓と、移行栓の下方に設けられる受け部とを備えることを特徴とする構成を採用する。
【０００８】
抜栓キャップの実施形態として、受け部は、少なくとも薄肉弱化部の下方に設けられることを特徴とする構成、受け部は、注出筒の周囲から内側に向けて形成される複数の係合片を備えることを特徴とする構成、受け部は、注出筒の下端部に設けられることを特徴とする構成を採用する。
【０００９】
抜栓キャップのさらなる実施形態として、中栓は、注出筒の下部外周にねじ周壁を備え、オーバーキャップは、頂壁と、頂壁から垂下し、移行栓と係合する係着部とを備え、移行栓は、オーバーキャップの係着部と係合する筒状壁を備え、筒状壁は、内周に設けられる第１係合突部と、外周に設けられる第１歯部とを備え、係着部は、外周に第１係合突部と係合可能な第２係合突部を備え、オーバーキャップは、係着部の外側に配設され、内周に第２歯部が設けられる密封筒と、さらに密封筒の外側に配設されるねじ筒部とを備え、第１歯部と第２歯部は、オーバーキャップを螺脱させるときのみ係合するラチェット機構を構成することを特徴とする構成を採用する。
【発明の効果】
【００１０】
本発明の抜栓キャップは、中栓が、注出筒の内周面に薄肉弱化部を介して連設され、注出口を密閉するとともに、オーバーキャップの開蓋時に薄肉弱化部が破断し、中栓側からオーバーキャップ側に移行する移行栓と、移行栓の下方に設けられる受け部とを備えることにより、内容物を充填した容器本体の口部に中栓を装着した後、中栓にオーバーキャップをセットして締め込む際に、薄肉弱化部が破断して移行栓が容器本体内に落下することが防止できる。
【００１１】
また、受け部は、注出筒の周囲から内側に向けて形成される複数の係合片を備えることにより、受け部を中栓と一体成型することができる。
【図面の簡単な説明】
【００１２】
【図１】実施例の抜栓キャップにおけるオーバーキャップと中栓のセット状態を示す図であり、（ａ）は断面側面図、（ｂ）は（ａ）のＸ−Ｘ線における矢視断面図である。
【図２】実施例の抜栓キャップの中栓を示す図であり、（ａ）は上面図、（ｂ）は側面図である。
【図３】実施例の抜栓キャップの中栓を示す図であり、（ａ）は断面側面図、（ｂ）は（ａ）の要部拡大図、（ｃ）は（ｂ）の下面図である。
【図４】図３（ａ）のＹ−Ｙ線における矢視図である。
【図５】実施例の抜栓キャップのオーバーキャップを示す図であり、（ａ）は断面側面図、（ｂ）は下面図である。
【図６】図１（ａ）の要部拡大図であり、（ａ）は係合片を折り曲げた時の拡大図、（ｂ）は（ａ）の下面図である。
【図７】図１（ｂ）の要部拡大図であり、（ａ）はオーバーキャップを中栓に閉蓋回転終了前の拡大図、（ｂ）はオーバーキャップを中栓にセット終了時の拡大図である。
【図８】キャップの音出し部材と中栓の音出し突部との関係を示す図で、（ａ）は図５（ａ）に対応する閉蓋回転終了前の図、（ｂ）は閉蓋回転進行時の図、（ｃ）は開蓋回転進行時の図である。
【図９】実施例の抜栓キャップにおいて、オーバーキャップを中栓から開蓋した時の断面側面図である。
【発明を実施するための形態】
【００１３】
次に、本発明の抜栓キャップについて、実施例を示した図面を参照して説明する。
なお、本実施例では、中栓にオーバーキャップを螺合することによりセットするタイプの抜栓キャップを例示するが、開栓時に中栓側からオーバーキャップ側に移行する移行栓を備える抜栓キャップであれば、例えば、プッシュオン・ツイストオフタイプの抜栓キャップであっても構わない。
【実施例】
【００１４】
図１において、Ａは容器本体、Ｂは容器本体Ａの口部に装着される中栓、Ｃは中栓Ｂに開閉可能に装着されるオーバーキャップである。
図１に示すように、容器本体Ａの口部１は、中栓Ｂに嵌着して抜け止め保持する係止突条２を備えている。
【００１５】
図２〜４に示すように、中栓Ｂは、外周側の外筒５、内周側の内筒６、容器本体Ａの口部１の天面側に位置するリング状の上壁７とからなり、口部１が嵌入する環状溝を形成する嵌合筒部４と、上壁７の内縁に立設されるねじ周壁８と、ねじ周壁８の上端から内方に向けて連設されたリング状の天壁９と、天壁９の内縁に立設される注出筒部１０とからなる。
【００１６】
注出筒部１０は、上部に拡径して外側に湾曲するリップ部を有する円筒状の注出筒１１と、注出筒１１の内周面に、全周にわたって形成される薄肉弱化部１２を介して一体に連設される移行栓１３とを備える。
移行栓１３は、上部に円筒状の筒状壁１４が立設され、移行栓１３の下部は、底壁１５が薄肉弱化部１２とともに注出口を封鎖している。
【００１７】
筒状壁１４は、外周にラチェット機構の一方の第１歯部を構成する係合突起１６が周方向６個所に突設され、内周上部には第１係合突部１７が環状に突設されている。
係合突起１６は、後述するオーバーキャップＣの第２歯部と係合する略径方向に形成された第１係合面１６ａと、その周方向反対側に傾斜面を形成する非係合面１６ｂとを有し、その平面視形状は、筒状壁１４の外周面側を底辺とする略台形状をなしている。
また、本実施例では、係合突起１６は、周方向６個所に設けているが、６個所に限らず移行栓の形状等に合わせて複数の適宜個所に設けることができ、必ずしも台形状である必要はなく、直角三角形状でもよい。
【００１８】
図３に示すように、注出筒１１の下端部には、受け部として、周囲から内側に向けて斜め下方に延びる細幅板状の係合片１８が設けられている。
本実施例では、係合片１８は、注出筒１１の下端部に設けられているが、係合片１８は、少なくとも薄肉弱化部１２の下方であれば、注出筒１１よりも下方の内壁１９に設けられていても構わない。
また、係合片１８は、注出筒１１の下端部の対向位置に２個設けられているが、複数個であれば、内容物の注出を妨げない限り、いくつ設けられていても構わない。
【００１９】
ねじ周壁８の外周面には、後述するオーバーキャップＣの雌ねじ５５と螺合する雄ねじ２０が設けられている。
雄ねじ２０は、上端部が１２０°間隔で始まる３条ねじで形成されている。
ねじ周壁８の内周面には、上部を天壁９に連設し軸方向に延びる補強リブ２１が複数設けられている。
【００２０】
天壁９の上面には、内周側に隆起する段部２２が設けられ、段部２２の外周には、１２０°間隔で３個所に音出し突部２３が配設されている。
嵌合筒部４の上壁７の上面には、周方向の所定の３個所にストッパー２４が配設され、その螺脱方向には、略垂直に立ち上がった第１当接面２４ａが形成され、螺着方向には、第１傾斜面２４ｂが形成されている。
【００２１】
外筒５には、周方向にわたって外周面から径方向に切欠き凹部２５が凹設され、下部が、中栓Ｂを容器本体Ａから分離して分別廃棄可能とする分別機構Ｄとなっており、また、分別機構Ｄの下部内周に、容器本体Ａの係止突条２に係合して口部１を抜け止めする係止縮径部２６が設けられている。
外筒５の外周の切欠き凹部２５の上には、上下方向に溝が切られた外周ローレット部２７が設けられている。
【００２２】
分別機構Ｄは、図４に示すように、外筒５の下部外周面の所定円弧範囲にわたって軸方向に形成された貫通スリット２８を介して把持部２９が設けられ、把持部２９は、薄肉の縦切断部３０によって外筒５から切り離され外方に展開可能になっている。
把持部２９の縦切断部３０から右方向には、指先を入れて引っ掛けるための引っ掛け部３１が形成され、把持部２９内周面には手指で把持する把持凹凸部３２が波状に設けられている。
なお、本実施例では、貫通スリット２８は、約１１０°の円弧範囲にわたって形成されている。
【００２３】
外筒５の切欠き凹部２５には、貫通スリット２８の終端部２８ｂに対応する端部３４ａから背面方向に延び、始端部２８ａより手前の端部３４ｂまでの間の外筒５の内周側に破断可能な薄肉の周方向切断部３４と、周方向切断部３４の端部３４ｂと終端部２８ｂとの間の大部分が把持部２９に対向する厚肉の厚肉連結部３５が形成されている。
【００２４】
図５に示すように、オーバーキャップＣは、頂壁４０と、頂壁４０の外周縁から垂設された外周壁４１とを有している。
頂壁４０の下面には、中央の係着部４２から同心円状の外側へ順に、密封筒４３、中足部４４、ねじ筒部４５が垂設され、また、中足部４４とねじ筒部４５との間に、音出し部材４６が同心円状の１２０°間隔で３個所に配設されている。
なお、本実施例では、オーバーキャップＣは、外周壁４１を有しているが、頂壁４０からねじ筒部４５が垂設されているので、外周壁４１は、設けなくても構わない。
【００２５】
係着部４２には、中栓Ｂの第１係合突部１７を乗り越えて筒状壁１４の内周面に緊密に嵌合する環状の第２係合突部５０が先端外周に形成されている。
密封筒４３は、閉蓋時に、外周が注出筒１１の内周面に当接して注出口を密閉するもので、内周には、第１歯部を構成する係合突起１６に係合する第２歯部を構成する係合腕５１が係合突起１６と同数の周方向６個所に設けられている。
【００２６】
係合腕５１は、開栓時にオーバーキャップＣをねじ解放方向に回転させたとき、係合突起１６の第１係合面１６ａに係合する略径方向の第２係合面５２を有する先端係合部５３と、密封筒４３の内周面から螺脱方向に傾斜して延びる先端係合部５３より薄肉で変形可能な腕部５４を備えている。
【００２７】
ねじ筒部４５は、内周に中栓Ｂの雄ねじ２０に螺合する雌ねじ５５が設けられ、下端面には、ストッパー２４に係合するくさび状凹部５６が周方向３個所に形成されている。
くさび状凹部５６には、螺脱方向に略垂直な第２当接面５６ａが形成され、螺着方向に第２傾斜面５６ｂが形成されており、それぞれストッパー２４の第１当接面２４ａ、第１傾斜面２４ｂに対応する形状をなしている。
ストッパー２４およびくさび状凹部５６は、本実施例では周方向３個所に設けられているが、これに限定されず適宜の複数個所に設けることができる。
【００２８】
音出し部材４６は、頂壁４０の下面から垂設された剛直な棒状の基部５７と、基部５７の下端面から垂設され、周方向の厚さが弾性変形可能な薄肉に形成される振動片５８とからなっている。
音出し部材４６は、オーバーキャップＣの締め込み終了直前に振動片５８の先端が中栓Ｂの音出し突部２３に当接し、振動片５８を湾曲変形させながら締め込みが進み、締め込み終了と同時に振動片５８が音出し突部２３を乗り越え、復元しようとすることにより、振動し、音が発生されるように設定される。
本実施例では、基部５７は、同心円状の１２０°間隔で３個所に分かれて配設されているが、基部５７は、リング状に連続したものであっても構わない。
【００２９】
中足部４４は筒状であり、閉蓋されたときに注出筒１１の外側に来るように設けられている。また、中足部４４の長さは、中栓Ｂのねじ周壁８の高さより大きくすることが好ましい。
オーバーキャップＣを中栓Ｂに螺合させる際に、中足部４４によって注出筒１１が案内されて、位置合わせが容易となるとともに、位置合わせがうまくいかない限り、ねじ筒部４５の雌ねじ５５がねじ周壁８の雄ねじ２０に到達しないため、螺合することができず、無理な螺合を防止することができる。
【００３０】
次に、本実施例の使用態様と作用効果について説明する。
まず、本実施例の抜栓キャップを容器本体Ａに装着するには、内容物を充填した容器本体Ａの口部１に中栓Ｂを打栓した後、中栓ＢにオーバーキャップＣをセットして締め込む工程を経る必要があるが、オーバーキャップＣを中栓Ｂにセットする際に、移行栓１３の薄肉弱化部１２が破断したり、薄肉弱化部１２が破断して移行栓１３が容器本体Ａ内に落下するおそれがある。
そこで、薄肉弱化部１２が破断したり、移行栓１３が容器本体Ａ内に落下するのを防止するために、中栓Ｂの下方には、図３に示すように、２個の係合片１８が内側に向けて斜め下方に延びて成型されている。
【００３１】
このため、中栓Ｂを容器本体Ａの口部１に打栓する前に、図６に示すように、各係合片１８を移行栓１３側に向けて折り曲げる必要があり、係合片１８の折り曲げは、例えば、加熱手段を有する治具等を用いて、係合片１８を折り曲げた状態に保つようにすればよい。
なお、係合片１８は、同肉厚であるが、基端部１８ａを薄肉等にしてもよい。
次に、中栓Ｂを内容物を充填した容器本体Ａに打栓するには、口部１に中栓Ｂの嵌合筒部４を当てがい、上壁７を上から押さえると、口部１が嵌合筒部４に嵌合して外筒５を外側にわずかに押し広げ、係止縮径部２６が口部１の係止突条２に係合可能になる。
【００３２】
次に、オーバーキャップＣを中栓Ｂに螺合するには、音出し部材４６の内側に比較的長い中足部４４が設けてあるため、音出し部材４６の振動片５８が、注出筒１１に入り込むのをブロックするとともに、中足部４４によって注出筒１１が案内され、オーバーキャップＣの位置合わせが容易になり、中栓Ｂの移行栓１３と、オーバーキャップＣの係着部４２および密封筒４３との係合が確実に行われる必要がある。
位置合わせが決まって、オーバーキャップＣのねじ筒部４５の雌ねじ５５を中栓Ｂのねじ周壁８の雄ねじ２０に螺合して締め込む際には、オーバーキャップＣが回転し、オーバーキャップＣの密封筒４３の係合腕５１は中栓Ｂの移行栓１３の係合突起１６の非係合面１６ｂに乗り上げ、係合突起１６を乗り越えて、オーバーキャップＣの回転を許容する。
この際に、移行栓１３は、薄肉弱化部１２の周辺を係合片１８（受け部）で支えられているために、移行栓１３に下方向の力が作用しても薄肉弱化部１２が不用意に破断することを防止できる。
【００３３】
さらにオーバーキャップＣが下降することにより、オーバーキャップＣの係着部４２の第２係合突部５０が中栓Ｂの移行栓１３の第１係合突部１７を乗り越えて、筒状壁１４の内周面に嵌合するようになる。
同時に、ねじ筒部４５の下部のくさび状凹部５６が中栓Ｂの上壁７のストッパー２４に嵌合するようになり、さらに、雄ねじ２０と雌ねじ５５の締結が進んでいくと、くさび状凹部５６の第２当接面５６ａがストッパー２４の第１当接面２４ａに当接して両ねじの締結が完了する。
【００３４】
両ねじの締結が完了する前には、図７（ａ）、図８（ａ）に示すように、オーバーキャップＣの回転および下降により、オーバーキャップＣのそれぞれの音出し部材４６の振動片５８先端が、中栓Ｂの天壁９のそれぞれの音出し突部２３に当接し、さらに回転が進むと、図８（ｂ）に示すように、振動片５８が湾曲変形しながら進み、最後は、図１（ｂ）、図７（ｂ）に示すように、振動片５８の先端が音出し突部２３を乗り越える。
振動片５８の先端が音出し突部２３を乗り越えると、湾曲変形した振動片５８が復元しようとし、振動し、音が発せられる。
この音により、本発明の利用者は、感覚的にキャップの閉蓋終了を知ることができる。
【００３５】
次に、本実施例の抜栓キャップが装着された容器を使用するには、オーバーキャップＣを中栓Ｂに対して螺脱方向に回転させる。
回転が進むと、図８（ｃ）に示すように、オーバーキャップＣの音出し部材４６の振動片５８先端が、中栓Ｂの天壁９の音出し突部２３に当接し、さらに回転が進むと、振動片５８が湾曲変形しながら進み、振動片５８の先端が音出し突部２３を乗り越え、湾曲変形した振動片５８が復元して振動し、音が発せられる。
【００３６】
さらに回転すると、オーバーキャップＣの密封筒４３の内周面から延びる係合腕５１が回動して、その先端係合部５３の第２係合面５２が中栓Ｂの移行栓１３の係合突起１６の第１係合面１６ａに当接するようになり、オーバーキャップＣの回転力がラチェット機構を介して移行栓１３に加わるようになる。
係合腕５１の先端係合部５３は、腕部５４より厚肉に形成されているので、第２係合面５２は第１係合面１６ａに広い面積でしっかり当接係合するとともに回転力に負けない強度を有する。
【００３７】
このとき、係着部４２の第２係合突部５０が筒状壁１４の内周面に緊密に嵌合しているので、筒状壁１４を内側から補強してオーバーキャップＣの回転力がラチェット機構を介して移行栓１３に伝わりやすくなっているとともに、ねじの回転に伴って移行栓１３を上方に引き上げる力を発生させる。
オーバーキャップＣの回転が進むと、移行栓１３に加わる回転力と引き上げ力により、ついには薄肉弱化部１２が破断して注出筒１１内に注出口が開栓され、注出筒部１０から分離された移行栓１３は、筒状壁１４に係合する係着部４２によって引き上げられてオーバーキャップＣとともに上昇していく。
【００３８】
さらに、雌ねじ５５が雄ねじ２０から螺脱して、図９に示すように、オーバーキャップＣを中栓Ｂから離脱させれば、オーバーキャップＣとともに移行栓１３が除去された注出筒部１０の開口から容器内の内容物を注出することができる。
【００３９】
内容物を注出した後、再度オーバーキャップＣを中栓Ｂに螺合する際には、中足部４４によって中栓Ｂに対するオーバーキャップＣの位置合わせが容易であり、螺合が終了した場合には、オーバーキャップＣの密封筒４３の外周が注出筒１１内周に密着して容器内を密封することができる。
【００４０】
また、両ねじの締結が完了する際には、再度、音出し部材４６の振動片５８先端が、音出し突部２３に当接して振動し、音が発せられるので、本発明の利用者は、感覚的にオーバーキャップＣの閉蓋終了を知ることができる。
本発明の利用者は、オーバーキャップＣの閉蓋終了を感覚的に知ることができるので、オーバーキャップＣを中栓Ｂに対して、無理に回転しすぎて、螺合が強くなりすぎ、開蓋に苦労することを防止できる。
【００４１】
本実施例では、開蓋時や閉蓋時に、音を発するように、オーバーキャップＣの音出し部材４６と、中栓Ｂの天壁９の音出し突部２３とを設けているが、これらは、省いても構わない。
さらに、オーバーキャップＣの中足部４４も省くことができる。
【００４２】
本実施例の抜栓キャップは、使用済みの容器を廃棄する際に、簡単な操作で容器本体Ａから中栓Ｂを分離することにより、分別して廃棄することができる。
まず、図２および図４に示す縦切断部３０付近の引っ掛け部３１に手指を掛けて把持部２９を手前に引っ張ると、縦切断部３０が破断し、把持部２９が外方に展開する。
把持凹凸部３２を指で把持しながら、さらに把持部２９を引っ張ると、貫通スリット２８の終端部２８ｂから周方向切断部３４の端部３４ａへと破断が進んでいく。
【００４３】
周方向切断部３４が端部３４ｂまで破断したところで、周方向切断部３４の破断は、停止する。そこで、把持部２９を引き上げると、周方向切断部３４が破断された範囲内では、係止縮径部２６の係止突条２への係合が解除され、係止縮径部２６による口部１への拘束が解除されるので、把持部２９の引き上げに伴って、破断しないで残った厚肉連結部３５を介して中栓Ｂを容器本体Ａから離脱させ分別廃棄することができる。
【００４４】
本実施例では、オーバーキャップＣが螺合するための回転角度を少なくするために雄ねじ２０および雌ねじ５５を３条ねじとしているが、別に回転の範囲を気にしないものであれば、３条ねじではなく、単数および複数の条数のねじとしてもよい。
【産業上の利用可能性】
【００４５】
本発明の抜栓キャップは、注出筒部の薄肉弱化部の下方に受け部を設けることによって、中栓にオーバーキャップをセットする際に、薄肉弱化部が破断したり、移行栓が容器本体内に落下するのを防止することができるので、子供やお年寄りでも安心して利用できる容器として好適である。
【符号の説明】
【００４６】
Ａ            容器本体
Ｂ            中栓
Ｃ            オーバーキャップ
Ｄ            分別機構
１            口部
２            係止突条
４            嵌合筒部
５            外筒
６            内筒
７            上壁
８            ねじ周壁
９            天壁
１０            注出筒部
１１            注出筒
１２            薄肉弱化部
１３            移行栓
１４            筒状壁
１５            底壁
１６            係合突起（第１歯部）
１６ａ          第１係合面
１６ｂ          非係合面
１７            第１係合突部
１８            係合片（受け部）
１８ａ          基端部
１９            内壁
２０            雄ねじ
２１            補強リブ
２２            段部
２３            音出し突部
２４            ストッパー
２４ａ          第１当接面
２４ｂ          第１傾斜面
２５            切欠き凹部
２６            係止縮径部
２７            外周ローレット部
２８            貫通スリット
２８ａ          始端部
２８ｂ          終端部
２９            把持部
３０            縦切断部
３１            引っ掛け部
３２            把持凹凸部
３４            周方向切断部
３４ａ、３４ｂ  端部
３５            厚肉連結部
４０            頂壁
４１            外周壁
４２            係着部
４３            密封筒
４４            中足部
４５            ねじ筒部
４６            音出し部材
５０            第２係合突部
５１            係合腕（第２歯部）
５２            第２係合面
５３            先端係合部
５４            腕部
５５            雌ねじ
５６            くさび状凹部
５６ａ          第２当接面
５６ｂ          第２傾斜面
５７            基部
５８            振動片
【図１】
2019189322.tif 000003
【図２】
2019189322.tif 000004
【図３】
2019189322.tif 000005
【図４】
2019189322.tif 000006
【図５】
2019189322.tif 000007
【図６】
2019189322.tif 000008
【図７】
2019189322.tif 000009
【図８】
2019189322.tif 000010
【図９】
2019189322.tif 000011